(57)【特許請求の範囲】
【請求項１】
支軸により可動部材を回動可能な状態で支持し、該支軸を電気的駆動源によって回動して上記可動部材を回動することにより、遊技球を受け入れない第１状態と遊技球を受け入れ易い第２状態とに変換可能な弾球遊技機における変動入賞装置において、
上記可動部材にＬＥＤを組み込み、上記支軸を中空パイプで構成して中空部に上記ＬＥＤへ電力を供給する配線を挿通し、
上記可動部材は、
前後に貫通する空部を有し、基端部分を膨出させた可動部材本体と、上記空部の開放前面に嵌着するレンズ部材と、上記空部の開放後面に嵌着する照明収納部材と、から構成され、
上記照明収納部材は、後面のうち支軸を嵌合する部分の周辺に鍔部を形成し、
上記ＬＥＤをベースに固定して一体化した発光ユニットを照明収納部材に嵌合し、この状態で上記照明収納部材の鍔部を上記可動部材本体の膨出部内に後方から嵌合して上記可動部材に発光ユニットを組み込み、
上記照明収納部材及び上記可動部材本体によって上記ＬＥＤを保護することを特徴とする変動入賞装置。
【請求項２】
上記可動部材は、
上記ＬＥＤをベースに固定することで四角柱状に一体化した発光ユニットを、上記照明収納部材の前面長手方向に形成した溝に嵌合して構成されたことを特徴とする請求項１に記載の変動入賞装置。
【発明の詳細な説明】
【０００１】
【産業上の利用分野】
本発明は、パチンコ機などの弾球遊技機に取り付ける変動入賞装置に関するもので、特に遊技球を受け入れる可動部材の装飾性を照明により向上させたものである。
【０００２】
【従来の技術】
従来の変動入賞装置は、羽根状の可動部材を庇の下方左右に配設し、この可動部材をほぼ直立させて遊技球の受け入れを阻止する第１状態と、両可動部材を上端がそれぞれ外側に倒れるように開いて遊技球を受け入れ易い第２状態に変換するタイプと、横長な板状の可動部材を球受入口に軸着し、可動部材を立てて球受入口を閉じて遊技球を受け入れない第１状態と、可動部材の上端を前方に倒して球受入れ口を開いて遊技球を受入易い第２状態とに変換する所謂アタッカータイプとに大別される。そして、いずれのタイプにおいても、装飾性を高めるために可動部材の前面にシールを貼ったり、着色したりしている。
【０００３】
【発明が解決しようとする課題】
しかしながら、可動部材の前面を着色したりシールを貼ったりしただけでは装飾性を十分に高められたとは言えず、その反面、変動入賞装置は遊技者の利益の獲得に大きな影響があるので、遊技者にとっては可動部材が目立って状態を常に把握し易いことが望まれている。
そこで、先ず第１に可動部材の装飾性が高くて目立つ変動入賞装置を提供することを目的とする。
また、可動部材は回動することにより状態を変換するので、この可動部材に設けた配線が途中で断線しないこと、また、配線が複雑にならないことなどが必要とされる。
【０００４】
【課題を解決するための手段】
そこで、本発明は上記に鑑み提案されたもので、支軸により可動部材を回動可能な状態で支持し、該支軸を電気的駆動源によって回動して上記可動部材を回動することにより、遊技球を受け入れない第１状態と遊技球を受け入れ易い第２状態とに変換可能な弾球遊技機における変動入賞装置において、
上記可動部材にＬＥＤを組み込み、上記支軸を中空パイプで構成して中空部に上記ＬＥＤへ電力を供給する配線を挿通し、
上記可動部材は、
前後に貫通する空部を有し、基端部分を膨出させた可動部材本体と、上記空部の開放前面に嵌着するレンズ部材と、上記空部の開放後面に嵌着する照明収納部材と、から構成され、
上記照明収納部材は、後面のうち支軸を嵌合する部分の周辺に鍔部を形成し、
上記ＬＥＤをベースに固定して一体化した発光ユニットを照明収納部材に嵌合し、この状態で上記照明収納部材の鍔部を上記可動部材本体の膨出部内に後方から嵌合して上記可動部材に発光ユニットを組み込み、
上記照明収納部材及び上記可動部材本体によって上記ＬＥＤを保護することを特徴とする。
【０００５】
【作用】
ＬＥＤにより可動部材を照明すると、変動入賞装置の装飾効果が高まるばかりでなく、遊技機全体の装飾効果が高まり、また、可動部材のＬＥＤにより遊技者に可動部材の状態や遊技情報を視覚を通して知らせることが可能となる。更に、照明収納部材及び可動部材本体によってＬＥＤを保護するので、遊技球が可動部材に衝突しても、ＬＥＤが幾重にも保護されることとなり、これによりＬＥＤの衝撃に起因する損傷を低減することができる。
【０００６】
【実施例】
以下、本発明の実施例を図面にもとづいて説明する。
図１および図２に示す変動入賞装置１は、代表的な弾球遊技機であるパチンコ機の遊技盤の遊技部内に取り付けるものである。
【０００７】
この変動入賞装置１は、遊技盤表面に取り付ける取付基板２に大きな開口部３を形成し、該開口部３の上縁に庇部４を突設し、該庇部４の下方の開口部左右に羽根状の可動部材５，５を支軸６，６により回動可能な状態で支承し、取付基板２の裏側にはケース７を設けて開口部３に連通する凹室８を形成し、該凹室８内に棚板９を架設して前端部分を上記可動部材５，５の基端間に臨ませ、前方に傾斜する凹室８の底面の傾斜下端には大当り入賞口１０と左右の一般入賞口１１，１１を設け、可動部材５，５の下端と一般入賞口１１，１１の外側端部との間には遊技球の飛入を防止する側板１２，１２を突設してある。また、取付基板２の裏側には、可動部材５，５を回動する電気的駆動源としてのソレノイド１３，１３、各ソレノイド１３のプランジャの動きを支軸６に伝達するクランク機構や戻しスプリング１４、凹室８内の装飾人形を作動するソレノイド１５などを取り付ける。
【０００８】
可動部材５は、図３および図４に示すように、前後に貫通する幅狭な空部１５を有し、基端部分を膨出させた可動部材本体１６と、空部１５の開放前面に嵌着する細長いレンズ部材１７と、空部１５の開放後面に嵌着する細長い照明収納部材１８とからなる。照明収納部材１８は、前面に長手方向の溝１８′を形成し、後面には可動部材本体１６の膨出部内に嵌合する鍔部１９を形成するとともに、該鍔部１９の中心に穴状の軸受部２０を形成し、該軸受部２０に支軸６の先端を嵌合して固定する。
【０００９】
本実施例における照明手段は、発光源としてのＬＥＤ２１…を一列に並べて樹脂製ベース２２により固定して四角柱状に一体化し、これにより１つの発光ユニット２３に成形してある。この発光ユニット２３を可動部材５に組み込むには、前記した照明収納部材１８の溝１８′内に嵌合し、この状態で照明収納部材１８を可動部材本体１６の空部１５内に後方から嵌合し、発光ユニット２３の前面、即ち各ＬＥＤ２１の発光部分をレンズ部材１７の背面に臨ませる。また、発光ユニット２３に電力を供給する配線２４，２４は、照明収納部材１８の軸受部２０の穴から支軸６の中空部内を挿通し、支軸６の後端から出た部分を制御装置に電気的に接続する。なお、支軸６は中空金属製パイプにより構成し、この支軸６の後端にはクランク部材２５を止着するので、このクランク部材２５には支軸６の中空部に連通する穴２５′を開設しておき、この穴２５′から配線２４を取り出して結線する。
【００１０】
上記した構成からなる可動部材５，５を備えた変動入賞装置１においては、図１に示すように、可動部材５，５がほぼ垂直に起立して流下してくる遊技球を受け入れない状態、即ち遊技者にとって不利な第１状態であっても、また、ソレノイド１３，１３の駆動により各上端を外側に倒して逆ハ字状に開いて遊技球を受入易い状態、即ち遊技者にとって有利な第２状態に変換しても、配線２４はクランク部材２５の穴２５′から出た部分が少し捻れるだけで発光ユニット２３と制御装置とを電気的に接続している。したがって、各可動部材５の発光ユニット２３は、この配線２４，２４を通して制御装置からの給電をいずれの状態でも受けることができる。このため、遊技球を受け入れない第１状態であっても遊技球を受け入れ易い第２状態であっても発光ユニット２３のＬＥＤ２１…は発光する。そして、前記ＬＥＤ２１…は、区画壁等の仕切り板がないので、広角度に亙って照明することが可能であり、少数でも可動部材５の前面を全長全幅に亙って光輝かせることができる。
【００１１】
また、可動部材５は流下してきた遊技球が当って衝撃を受けるが、発光源であるＬＥＤ２１…は、発光ユニット２３として樹脂製ベース２２で固定されており、また、照明収納部材１８、更には可動部材本体１６により保護されているので、球の衝撃で損傷することはない。
【００１２】
ＬＥＤ２１…が発光すると、光がレンズ部材１７を通して可動部材５の前面全体を輝かすことができ、変動入賞装置１の装飾効果を高めることができ、特に可動部材５，５が状態を変換するとき、即ち可動部材５，５が回動するときには光輝いた細長いレンズ部材１７，１７が大きく回ることになるので、従来にない形態で装飾効果を著しく高めることができる。
【００１３】
また、可動部材５，５が光輝くと、遊技者は、変動入賞装置１の可動部材５，５を注目していなくてもその状態を視界の片隅でも確実に把握することができる。したがって、発射する球の飛距離を調整するなど自己の技術介入のチャンスを逸することもなくなる。
【００１４】
なお、ＬＥＤ２１…の発光は連続して点灯させても、また、点滅させてもよいし、或は予め定めて順番で点灯或は点滅させてもよい。そして、点灯或は点滅のパターンに取り決めを設定しておくと、遊技者に遊技情報を知らせることもでき、単なる装飾ばかりでなく、情報伝達手段としても機能させることができる。例えば、可変表示装置などの補助ゲーム装置を設けた場合に、可動部材５，５が第１状態で停止している間はＬＥＤ２１…を消灯しておき、補助ゲーム装置が作動している間、および補助ゲーム装置で「大当り」になって特別遊技を行なっている間（可動部材５，５が何回も開閉動作を繰り返す間）点灯或は点滅させるようにしてもよい。
【００１５】
また、可動部材５，５が第１状態で停止している間はＬＥＤ２１…を消灯しておき、遊技球が所謂始動入賞口に入賞して可動部材５，５が１回又は２回開閉動作する状態になったならば、可動部材５，５が開閉動作を行なっている間中ＬＥＤ２１…を一斉に連続点灯させ、遊技球が前記した大当り入賞口１０に入賞して「大当り」となったならば、可動部材５，５を開閉させるとともに、ＬＥＤ２１…を一斉に点滅させてその旨を遊技者に知らせるように構成してもよい。
【００１６】
また、上記した実施例では配線２４，２４を２本とも支軸６の中空部内に挿通したが、支軸６が金属製であれば配線２４の一方を支軸６内に挿通してそのまま制御装置に導通させ、他方の配線２４を可動部材近傍で支軸６に接続し、支軸６の後端に制御装置からの一方の配線２４を接続して支軸６自体を配線２４の一部として使用してもよい。この様に構成すると、支軸６の中空部の内径が小さくて済み、また、支軸６の外径を細くすることもできる。
【００１７】
図５に示す第２の実施例は、所謂アタッカータイプの変動入賞装置１′であり、遊技盤表面に取り付ける取付基板２′に横長な球受入口２６を形成し、取付基板２′に、左側の第１支軸６ａと右側の第２支軸６ｂにより可動部材として扉部材２７を軸着して球受入口２６を開閉可能とし、取付基板２′の裏側にケースを取り付けて球受入口２６に連通した凹室を形成するとともに凹室内に大当り入賞口および一般入賞口を形成し、取付基板２′の裏側には扉部材２７を開閉させる電気的駆動源としてのソレノイドなどを設けてなる。
【００１８】
ソレノイドが消磁した状態では、図５に示すように、スプリングの付勢により扉部材２７が起立して球受入口２６を塞いでいるので流下してきた遊技球を入賞させない状態、即ち遊技者にとって不利な第１状態を維持しているが、ソレノイドが励磁すると、スプリングの付勢に抗して扉部材２７が前方に開き、流下してきた遊技球を球受入口２６に受け入れ易い状態、即ち遊技者にとって有利な第２状態に変換する。
【００１９】
この変動入賞装置１の扉部材２７には、長手方向に沿って長尺な液晶表示器２８（バックライト付）を照明手段として前面に埋設し、図６に示すように、この液晶表示器２８の配線の一方２４ａを第１支軸６ａの一端に、配線の他方２４ｂを第２支軸６ｂの一端にそれぞれ接続し、金属製第１，第２支軸６ａ，６ｂを配線２４，２４の一部として使用している。この様に、支軸６ａ，６ｂを配線２４，２４の一部として機能させると、支軸６ａ，６ｂが回動しても液晶表示器２８側の配線２４ａ，２４ｂに捻れが生じない。
【００２０】
また、図６の左側に示すように、第１支軸６ａの他端に金属片２９を該支軸６ａと直交する方向に接続し、該金属片２９の先端に制御装置からの配線２４ｃを接続すると、支軸６ａが回動したときに生じる制御装置側の配線２４ｃの捻れを少なくすることができ、配線２４ｃの断線トラブルを減少することができる。
【００２１】
更に、制御装置からの配線２４ｄは、図６右側に示すように、コイル状に巻いた状態で芯線の端部を第２支軸６ｂの他端に接続してもよい。この様に接続しても、支軸６ｂが回動した時の捻れを配線２４ｄのコイル状部分が吸収するので、配線２４ｄに掛かる捻れの負担が減少し、断線トラブルを減少することができる。
【００２２】
なお、扉部材２７の上端面にＬＥＤ３０…などの照明手段を埋設し、扉部材２７が閉じた第１状態では前面の液晶表示器２８を点灯又は点滅させ、或はメッセージを表示して装飾効果を高めるとともに遊技情報を表示し、扉部材２７が前方に倒れて開いた第２状態に変換したならばＬＥＤ３０…を点灯又は点滅させることにより第２状態に変換した旨を表示するように構成してもよい。この場合、液晶表示器２８の配線２４，２４とＬＥＤ３０…の配線が必要となるので、前記実施例と同様に、第１，第２支軸６ａ，６ｂを中空パイプにより構成し、これら支軸６ａ，６ｂの中空部内に配線を通す。
【００２３】
上記した各実施例では照明手段にＬＥＤ２１…，３０…や液晶表示器２８を使用したが、本発明の照明手段はこれに限定されるものではなく、ランプ、７セグメントＬＥＤ、ドット式表示器などどのような照明でもよい。そして、７セグメントＬＥＤやドット式表示器を使用すると、単なる点灯或は点滅だけでなく補助ゲームなども可能である。
【００２４】
また、変動入賞装置１は、所謂第１種、第２種など全てのパチンコ機に使用することができることは勿論のこと、その他の弾球遊技機でも使用することができ、例えばアレンジ式遊技機などに使用することもできる。
【００２５】
【発明の効果】
以上説明したように本発明によれば、可動部材にＬＥＤを組み込み、支軸を中空パイプで構成して中空部に上記ＬＥＤへ電力を供給する配線を挿通し、上記可動部材は、前後に貫通する空部を有し、基端部分を膨出させた可動部材本体と、上記空部の開放前面に嵌着するレンズ部材と、上記空部の開放後面に嵌着する照明収納部材とから構成されるので、可動部材の存在が光によって目立って遊技者にとっては可動部材の状態を把握し易いし、また、光輝く可動部材によって装飾効果を十分に高めることができ、ひいては遊技機の装飾効果を高めることができる。そして、ＬＥＤが可動部材と一体となって繰り返し回動動作を行なっても、配線の断線トラブルを防止することができる。
また、上記照明収納部材は、後面のうち支軸を嵌合する部分の周辺に鍔部を形成し、ＬＥＤをベースに固定して一体化した発光ユニットを照明収納部材に嵌合し、この状態で上記照明収納部材の鍔部を上記可動部材本体の膨出部内に後方から嵌合して上記可動部材に発光ユニットを組み込み、上記照明収納部材及び上記可動部材本体によって上記ＬＥＤを保護するので、遊技球が可動部材に衝突しても、ＬＥＤが幾重にも保護されることとなり、これによりＬＥＤの衝撃に起因する損傷を低減することができる。
【図面の簡単な説明】
【図１】  一対の可動部材を左右に軸着した変動入賞装置の第１状態における斜視図である。
【図２】  図１に示す変動入賞装置の後方から見た斜視図である。
【図３】  可動部材と支軸の後方から見た分解斜視図である。
【図４】  レンズ部材、可動部材本体、発光ユニット、照明収納部材、および支軸の組み付け状態を示す斜視図である。
【図５】  可動部材としての扉部材を備えたアタッカータイプの変動入賞装置の第１状態における正面図である。
【図６】  扉部材の一部欠截正面図である。
【図７】  扉部材の側面図である。
【符号の説明】
１  変動入賞装置
２  取付基板
５  可動部材
６  支軸
１６  可動部材本体
１７  レンズ部材
１８  照明収納部材
２０  軸受部
２１  発光源としてのＬＥＤ
２２  ベース
２３  発光ユニット
２４  配線
２７  可動部材としての扉部材
２８  照明手段としての液晶表示器
３０  ＬＥＤ
【図１】
0003756199.tif 000002
【図２】
0003756199.tif 000003
【図３】
0003756199.tif 000004
【図４】
0003756199.tif 000005
【図５】
0003756199.tif 000006
【図６】
0003756199.tif 000007
【図７】
0003756199.tif 000008